(57)【要約】【課題】撮像画像に撮像場所の地名を付加することができるようにする。【解決手段】ステップＳ４２において、携帯電話機は、装着されているメモリカードからPOIデータを読み出し、内部に記憶する。ステップＳ４５において、携帯電話機は、ユーザの操作によって撮像対象を撮像した場合、ステップＳ４６に進み、メモリカードが新しいGPS受信データを算出したか否かを判定する。そして、新しいGPS受信データが算出された場合、携帯電話機は、ステップＳ４７において、メモリカードから緯度経度情報を取得し、ステップＳ４８において、撮像された画像データに、緯度経度情報を付加して記録する。これにより、表示処理において、付加されている緯度経度情報に対応するPOIデータが読み出され、画像とともに撮像場所の地名または施設名が表示される。【選択図】図１６
2011193532.tif 000002
【特許請求の範囲】
【請求項１】
GPS（Global Positioning System）機能を有するメモリカードが装着される情報処理装置において、
前記メモリカードに記録されている画像データの再生に際し、再生する前記画像データおよび前記画像データに対応付けて記録されている位置情報を前記メモリカードから読み出す読み出し手段と、
読み出された前記位置情報に対応する地域名または施設名を、前記メモリカードに記録されているPOI(Point of Interest)データから取得する取得手段と、
読み出された前記画像データに基づく画像に、対応する前記地域名または前記施設名を重畳表示させる表示制御手段と
を備える情報処理装置。
【請求項２】
撮像対象を撮像して画像データを生成する撮像手段と、
前記メモリカードがGPS信号に基づいて生成した位置情報を取得する取得手段と、
撮像の結果得られた前記画像データに前記位置情報を対応付けて前記メモリカードに記録する記録手段と
をさらに備える請求項１に記載の情報処理装置。
【請求項３】
前記位置情報は、緯度、経度、高度、または時刻を含む情報である
請求項１に記載の情報処理装置。
【請求項４】
GPS（Global Positioning System）機能を有するメモリカードが装着される情報処理装置の情報処理方法において、
前記メモリカードに記録されている画像データの再生に際し、再生する前記画像データおよび前記画像データに対応付けて記録されている位置情報を前記メモリカードから読み出す読み出しステップと、
読み出された前記位置情報に対応する地域名または施設名を、前記メモリカードに記録されているPOI(Point of Interest)データから取得する取得ステップと、
読み出された前記画像データに基づく画像に、対応する前記地域名または前記施設名を重畳表示させる表示制御ステップと
を含む情報処理方法。
【請求項５】
GPS（Global Positioning System）機能を有するメモリカードが装着される情報処理装置を制御するためのプログラムであって、
前記メモリカードに記録されている画像データの再生に際し、再生する前記画像データおよび前記画像データに対応付けて記録されている位置情報を前記メモリカードから読み出す読み出しステップと、
読み出された前記位置情報に対応する地域名または施設名を、前記メモリカードに記録されているPOI(Point of Interest)データから取得する取得ステップと、
読み出された前記画像データに基づく画像に、対応する前記地域名または前記施設名を重畳表示させる表示制御ステップと
を含む処理を情報処理装置のコンピュータに実行させるプログラムが格納されているプログラム格納媒体。
【請求項６】
GPS（Global Positioning System）機能を有するメモリカードが装着されるコンピュータに、
前記メモリカードに記録されている画像データの再生に際し、再生する前記画像データおよび前記画像データに対応付けて記録されている位置情報を前記メモリカードから読み出す読み出しステップと、
読み出された前記位置情報に対応する地域名または施設名を、前記メモリカードに記録されているPOI(Point of Interest)データから取得する取得ステップと、
読み出された前記画像データに基づく画像に、対応する前記地域名または前記施設名を重畳表示させる表示制御ステップと
を含む処理を実行させるプログラム。
【発明の詳細な説明】
【技術分野】
【０００１】
本開示は、情報処理装置、情報処理方法、プログラム格納媒体、およびプログラムに関し、特に、メモリカードを用いて、既存の電子機器にGPS機能を追加し、かつ、そのメモリカードに地図データまたは地名データを記録するようにした情報処理装置、情報処理方法、プログラム格納媒体、およびプログラムに関する。
【背景技術】
【０００２】
従来、フラッシュメモリをベースにしたメモリカードは、例えば、音楽、映像、コンピュータプログラムソフト、または、その他のコンテンツを記憶することが可能である。
【０００３】
近年、このメモリカードに、GPS（Global Positioning System）などといった機能を有したデバイスを搭載した複合型のメモリカードも提案されている。このGPS機能を搭載したメモリカードは、複数個のGPS衛星から地上に放射される電波を利用して、現在位置（緯度、軽度、高度）などのGPS信号を受信し、そのGPS信号を、PDA（Personal Digital Assistant）や携帯電話機、あるいはデジタルスチルカメラ（DSC：Digital Still Camera)などに送出することにより、情報家電分野の商品に対して、拡張性を持たせている。
【発明の概要】
【発明が解決しようとする課題】
【０００４】
しかしながら、PDAや携帯電話機、あるいはデジタルスチルカメラなどは、GPS機能付きメモリカードより取得したGPS信号から、現在位置を知ることができるに過ぎなかった。
【０００５】
したがって、デジタルスチルカメラを用いて撮像された画像データを、ユーザが、後日、閲覧したり、あるいは、編集などを行う場合、記憶されている画像データが、それぞれ、どの場所で撮影されたものであるのか、GPS信号に基づく位置（緯度、経度、高度）以外には分からなかった。
【０００６】
本開示はこのような状況に鑑みてなされたものであり、既存の電子機器に、撮像された画像に撮像場所の地名を付加して表示させることができるようにするものである。
【課題を解決するための手段】
【０００７】
本開示の一側面である情報処理装置は、GPS（Global Positioning System）機能を有するメモリカードが装着される情報処理装置において、前記メモリカードに記録されている画像データの再生に際し、再生する前記画像データおよび前記画像データに対応付けて記録されている位置情報を前記メモリカードから読み出す読み出し手段と、読み出された前記位置情報に対応する地域名または施設名を、前記メモリカードに記録されているPOI(Point of Interest)データから取得する取得手段と、読み出された前記画像データに基づく画像に、対応する前記地域名または前記施設名を重畳表示させる表示制御手段とを備える。
【０００８】
本開示の一側面である情報処理装置は、撮像対象を撮像して画像データを生成する撮像手段と、前記メモリカードがGPS信号に基づいて生成した位置情報を取得する取得手段と、撮像の結果得られた前記画像データに前記位置情報を対応付けて前記メモリカードに記録する記録手段とをさらに備えることができる。
【０００９】
前記位置情報は、緯度、経度、高度、または時刻を含む情報とすることができる。
【００１０】
本開示の一側面である情報処理方法は、GPS（Global Positioning System）機能を有するメモリカードが装着される情報処理装置の情報処理方法において、前記メモリカードに記録されている画像データの再生に際し、再生する前記画像データおよび前記画像データに対応付けて記録されている位置情報を前記メモリカードから読み出す読み出しステップと、読み出された前記位置情報に対応する地域名または施設名を、前記メモリカードに記録されているPOI(Point of Interest)データから取得する取得ステップと、読み出された前記画像データに基づく画像に、対応する前記地域名または前記施設名を重畳表示させる表示制御ステップとを含む。
【００１１】
本開示の一側面であるプログラム格納媒体は、GPS（Global Positioning System）機能を有するメモリカードが装着される情報処理装置を制御するためのプログラムであって、前記メモリカードに記録されている画像データの再生に際し、再生する前記画像データおよび前記画像データに対応付けて記録されている位置情報を前記メモリカードから読み出す読み出しステップと、読み出された前記位置情報に対応する地域名または施設名を、前記メモリカードに記録されているPOI(Point of Interest)データから取得する取得ステップと、読み出された前記画像データに基づく画像に、対応する前記地域名または前記施設名を重畳表示させる表示制御ステップとを含む処理を情報処理装置のコンピュータに実行させるプログラムが格納されている。
【００１２】
本開示の一側面であるプログラムは、GPS（Global Positioning System）機能を有するメモリカードが装着されるコンピュータに、前記メモリカードに記録されている画像データの再生に際し、再生する前記画像データおよび前記画像データに対応付けて記録されている位置情報を前記メモリカードから読み出す読み出しステップと、読み出された前記位置情報に対応する地域名または施設名を、前記メモリカードに記録されているPOI(Point of Interest)データから取得する取得ステップと、読み出された前記画像データに基づく画像に、対応する前記地域名または前記施設名を重畳表示させる表示制御ステップとを含む処理を実行させる。
【００１３】
本開示の一側面においては、メモリカードに記録されている画像データの再生に際し、再生する画像データおよび画像データに対応付けて記録されている位置情報がメモリカードから読み出され、読み出された前記位置情報に対応する地域名または施設名が、メモリカードに記録されているPOI(Point of Interest)データから取得され、読み出された前記画像データに基づく画像に、対応する前記地域名または前記施設名が重畳表示される。
【発明の効果】
【００１４】
本開示の一側面によれば、既存の電子機器に、撮像された画像に撮像場所の地名または施設名を付加して表示させることが可能になる。
【図面の簡単な説明】
【００１５】
【図１】本開示に係るGPS受信機能付きメモリカードの構成例を示す外観図である。
【図２】図１のメモリカードの構成例を示している。
【図３】メモリースティックの仕様を説明するための図である。
【図４】GPS受信機能付きメモリカードが電子機器に装着された様子を示す図である。
【図５】図４のGPS受信機能付きメモリカードと電子機器の内部の構成例を示す図である。
【図６】GPS受信機能付きメモリカードが実行する受信処理を説明するためのフローチャートである。
【図７】電子機器が実行する受信処理を説明するためのフローチャートである。
【図８】第１の実施の形態のPDAの外観の構成例を示す図である。
【図９】図８のPDAの内部の構成例を示すブロック図である。
【図１０】地図の表示処理を説明するフローチャートである。
【図１１】地図の画像の表示例を示す図である。
【図１２】第２の実施の形態のカメラ付きデジタル携帯電話機の外観の構成例を示す図である。
【図１３】図１２のカメラ付きデジタル携帯電話機の表示部の外観の構成例を示す図である。
【図１４】図１２のカメラ付きデジタル携帯電話機にGPS受信機能付きメモリカードが装着された様子を示す図である。
【図１５】図１２の携帯電話機の内部の構成例を示すブロック図である。
【図１６】撮像処理を説明するフローチャートである。
【図１７】表示処理を説明するフローチャートである。
【図１８】画像の表示例を示す図である。
【発明を実施するための形態】
【００１６】
以下、図を参照して、本開示の実施の形態について説明する。
【００１７】
図１は、本開示に係るGPS受信機能付きメモリカードの構成例を示す外観図である。
【００１８】
GPS受信機能付きメモリカード１は、メモリカード１１、メモリアダプタ１２、RF（Radio Frequency）モジュール１３、およびGPSアンテナ１４で構成されている。RFモジュール１３は、ヒンジ部３１によりGPSアンテナ１４を回動自在に支持している。これにより、GPSアンテナ１４は、図示せぬGPS衛星から送信されてくるGPS信号を受信できるような位置でRFモジュール１３により支持される。
【００１９】
図２は、図１のメモリカード１１の構成例を示している。
【００２０】
同図に示されるメモリカード１１は、１０ピンの端子２１で構成されており、各ピンには、１乃至１０の番号が割り振られている。すなわち、グラウンド（GND）に接地される番号１および番号１０のピン（VSS）、シリアルプロトコルバスステート信号が供給される番号２のピン（BS：Bus State）、電源電圧が供給される番号３および番号９のピン（VCC）、シリアルプロトコルデータ信号が授受される番号４のピン（SDIO：Serial Data In/Out）、予備用として設けられている番号５および番号７のピン、カード挿入・抜去検出用の番号６のピン（INS：Interrupted Status）、および、シリアルプロトコルクロック信号が供給される番号８のピンから構成される。また、メモリカード１１には、そこに記録されているデータの誤消去を防止するための誤消去防止スイッチ２２が設けられている。
【００２１】
同図に示されるメモリカードは、例えば、メモリースティックDuo（商標）と呼ばれる、本出願人によって開発されたフラッシュメモリカードである。このメモリースティックDuoは、縦31×横20×厚さ1.6mmの小型薄型形状のプラスチックケース内に、電気的に書換えや消去が可能な不揮発性メモリであるEEPROM（Electrically Erasable Programmable Read-Only Memory）の一種であるフラッシュメモリ素子を格納したものであり、１０ピンの端子２１を介して画像や音声、音楽等の各種データの書き込みおよび読み出しが可能となっている。
【００２２】
また、メモリースティックDuoは、大容量化等による内蔵フラッシュメモリの仕様変更に対しても、使用する機器で互換性を確保することができる独自のシリアルプロトコルを採用し、最大書込速度1.8MB/S、最大読出速度2.45MB/Sの高速性能を実現していると共に、誤消去防止スイッチ２２を設けて高い信頼性を確保している。
【００２３】
なお、この１０ピンの端子２１は、本出願人によって先に開発されたメモリースティック（商標）と同様のピン配置になされており、このメモリカード１１（すなわち、メモリースティックDuo）をメモリアダプタ１２に装着することにより、メモリースティックの形状（縦50mm，横21.5mm，厚さ2.8mm）と物理的に同一サイズとなり、完全な互換性を確保している。
【００２４】
また、メモリースティックDuoは、図３に示されるように、現在普及しているＡ社製のメモリカードの形状（縦32mm，横24mm，厚さ2.1mm）、またはＢ社製のメモリカードの形状（縦32mm，横24mm，厚さ1.4mm）より、さらに小さくなっており、今後、情報家電分野の電子機器に搭載する超小型メディアとして展開可能である。
【００２５】
図４は、上述したGPS受信機能付きメモリカード１が電子機器４１に装着された様子を示す図である。
【００２６】
電子機器４１は、メモリカードスロット５４にGPS受信機能付きメモリカード１が装着されると、GPS受信機能付きメモリカード１に記録されているGPS受信データを取り込むことができる。同図に示されるように、GPS受信機能付きメモリカード１が完全にメモリカードスロット５４に装着された状態であっても、GPSアンテナ１４は、GPS信号を受信しやすいように電子機器４１から露出されている。
【００２７】
電子機器４１は、GPS受信機能付きメモリカード１から取り込んだGPS受信データに基づいて、表示部５１に所定の画像を出力し、表示させたり、あるいは、スピーカ５２に所定の音声を出力し、再生させたりする。操作部５３は、ユーザによって操作され、表示部５１に表示される画像の色調調整を行うとともに、スピーカ５２から再生される音声の音量を調整する。
【００２８】
図５は、図４に示したGPS受信機能付きメモリカード１と電子機器４１の内部の構成例を示している。
【００２９】
GPS受信機能付きメモリカード１のGPSアンテナ１４は、図示せぬGPS衛星から送信されてくるGPS信号を受信する。
【００３０】
RFモジュール１３のGPS信号処理部５１は、GPSアンテナ１４で受信されたGPS信号から、電子機器４１が使用されている現在の場所の緯度、経度、高度、時刻、スピード、およびヘディング方向などのGPS受信データを算出し、記憶部６１に記録（記憶）させる。GPS信号処理部５１はまた、算出されたGPS受信データのうちの時刻データに基づいて、クロック５２の内部時計を正確な時刻に調整する。GPS信号処理部５１はさらに、算出されたGPS受信データ（位置データおよび時刻データ）を過去の軌跡データとして記憶部６１に記録させる。
【００３１】
この過去の軌跡データは、遮蔽物などによってGPSアンテナ１４がGPS信号を受信することができないときに、利用されるデータである。
【００３２】
クロック５２は、電子機器４１からインターフェース（I/F）６２を介して供給される電源電圧により駆動し、GPS信号処理部５１により調整された内部時計を記憶する。クロック５２はまた、GPS機能付きメモリカード１が電子機器４１に装着されていない場合（すなわち、電源供給がない場合）、内部電池５３より供給される電源電圧により駆動し、GPS信号処理部５１により調整された内部時計を維持する。
【００３３】
記憶部６１は、例えば、不揮発性メモリで構成され、メモリカード１１の内部に設けられている。この記憶部６１には、GPS受信機能駆動用ドライバソフト、およびインターフェースプロトコルデータなどの、電子機器４１とGPS受信機能付きメモリカード１が相互通信するための通信データが記憶されている。記憶部６１はまた、GPS信号処理部５１より供給されるGPS受信データおよび過去の軌跡データを記録する。
【００３４】
記憶部６１に記憶されているGPS受信データおよび過去の軌跡データ、並びに、クロック５２の時刻データは、インターフェース６２を介して、電子機器４１に送出される。
【００３５】
電子機器４１のCPU（Central Processing Unit）７２は、GPS受信機能付きメモリカード１よりインターフェース（I/F）７１を介して、GPS受信データ、過去の軌跡データ、および時刻データを取得する。CPU７２はまた、取得された時刻データに基づいて、クロック７４の内部時計を正確な時刻に調整する。CPU７２はさらに、GPS受信機能付きメモリカード１よりインターフェース７１を介して、GPS受信機能駆動用ドライバソフトやインターフェースプロトコルデータなどの通信に必要な通信ソフトを読み出し、実行する。
【００３６】
クロック７４は、CPU７２により調整された内部時計を記憶する。クロック７４はまた、GPS受信機能付きメモリカード１が電子機器に装着されていない場合（すなわち、時刻データが供給されない場合）、内部電池７５より供給される電源電圧により駆動し、CPU７２により調整された内部時計を維持する。
【００３７】
記憶部７３には、使用地域データ（電子機器４１が使用されている現在の地域に関する情報）が記憶されており、GPS受信機能付きメモリカード１より取得されたGPS受信データに基づいて、CPU７２によって記憶内容が更新される。なお、遮蔽物などによりGPS受信データが取得できないとき、CPU７２は、GPS受信機能付きメモリカード１の記憶部６１に記憶されている過去の軌跡データを取得して、使用地域データを推定し、記憶部７３の記憶内容を更新させる。記憶部７３には、他の機器より取得した画像データおよび音声データも記憶されている。
【００３８】
LCD（Liquid Crystal Display）表示部７６は、記憶部７３から読み出された所定の画像データに基づく画像をLCD５１に表示させる。オーディオ部７７は、記憶部７３から読み出された所定の音声データに基づく音声をスピーカ５２に出力させる。
【００３９】
次に、図６のフローチャートを参照して、GPS受信機能付きメモリカード１が実行する受信処理について説明する。この処理を開始するにあたって、GPS受信機能付きメモリカード１は、電子機器４１に装着されている状態であるとする。
【００４０】
ステップＳ１において、GPSアンテナ１４は、図示せぬGPS衛星よりGPS信号を受信したか否かを判定し、GPS信号を受信するまで待機する。ステップＳ１において、GPS信号を受信したと判定された場合、ステップＳ２に進み、GPS信号処理部５１は、GPSアンテナ１４で受信されたGPS信号に基づいて、電子機器４１が使用されている現在の場所の緯度、経度、高度、時刻、スピード、およびヘディング方向などのGPS受信データを算出する。
【００４１】
ステップＳ３において、GPS信号処理部５１は、ステップＳ２の処理で算出された緯度、経度、高度、時刻、スピード、およびヘディング方向などのGPS受信データを、記憶部６１に記録させる。ステップＳ４において、GPS信号処理部５１は、ステップＳ２の処理で算出されたGPS受信データのうちの時刻データに基づいて、クロック５２の内部時計を正確な時刻に調整する。
【００４２】
ステップＳ５において、GPS信号処理部５１は、GPS受信履歴を残すために、ステップＳ２の処理で算出された緯度、経度、および時刻などのGPS受信データを、過去の軌跡データとして記憶部６１に記録させる。
【００４３】
ステップＳ６において、GPS信号処理部５１は、GPS受信機能付きメモリカード１が電子機器４１から抜去されたか否かを判定し、GPS受信機能付きメモリカード１が電子機器４１から抜去されていないと判定した場合、ステップＳ１に戻り、上述したそれ以降の処理を繰り返す。すなわち、GPS受信機能付きメモリカード１が電子機器４１から抜去されるまで、GPS信号の受信、GPS受信データの算出、および、過去の軌跡データを含むGPS受信データの記録が繰り返し行われる。
【００４４】
ステップＳ６において、GPS受信機能付きメモリカード１が電子機器４１から抜去されたと判定された場合、ステップＳ７に進み、クロック５２は、内部電池５３より供給される電源電圧により駆動し、正確な時刻を維持し続ける。ステップＳ８において、GPS信号処理部５１は、GPS受信機能付きメモリカード１が電子機器４１に再び装着されたか否かを判定し、GPS受信機能付きメモリカード１が電子機器４１に装着されていないと判定した場合、ステップＳ７に戻り、上述した処理を繰り返す。すなわち、クロック５２は、GPS受信機能付きメモリカード１が電子機器４１に装着され、その電子機器４１より電源電圧が供給されるようになるまで、内部電池５３を利用して内部時計の時刻を維持しつづける。
【００４５】
そして、ステップＳ８において、GPS受信機能付きメモリカード１が再び電子機器４１に装着されたと判定された場合、ステップＳ１に戻り、上述した処理を繰り返す。すなわち、再び、GPS信号の受信、GPS受信データの算出、および、GPS受信データの記録が行われる。
【００４６】
このように、GPS受信機能付きメモリカード１は、電子機器４１から抜去され、電源電圧が供給されなくなった場合にも、常に正確な時刻を維持することができる。
【００４７】
次に、図７のフローチャートを参照して、電子機器４１が実行する受信処理について説明する。この処理を開始するにあたって、GPS受信機能付きメモリカード１は、電子機器４１に装着されている状態であるとする。
【００４８】
ステップＳ１１において、CPU７２は、GPS受信機能付きメモリカード１の記憶部６１に記憶されているGPS受信機能駆動用ドライバソフト、およびインターフェースプロトコルデータなどの通信に必要な通信ソフトを、インターフェース７１を介して読み出す。CPU７２は、GPSアンテナ１４がGPS信号を受信し、GPS信号処理部５１がGPS受信データを算出することができるように、GPS受信機能駆動用ドライバソフトを駆動するとともに、GPS信号処理部５１が算出したGPS受信データを、インターフェース７１を介して取得することができるように、インターフェースプロトコルデータを用いて、GPS受信機能付きメモリカード１と電子機器４１を相互通信状態にする。
【００４９】
ステップＳ１２において、CPU７２は、GPS受信機能付きメモリカード１のGPS信号処理部５１が新しいGPS受信データを算出したか否かを判定し、新しいGPS受信データを算出したと判定するまで待機する。ステップＳ１２において、GPS信号処理部５１が新しいGPS受信データを算出したと判定された場合、ステップＳ１３に進み、CPU７２は、GPS信号処理部５１で算出された緯度、経度、高度、時刻、スピード、およびヘディング方向などのGPS受信データ、および、クロック５２から正確な時刻データを、インターフェース７１を介して取得し、記憶部７３に記録させる。
【００５０】
ステップＳ１４において、CPU７２は、ステップＳ１３の処理で取得された時刻データに基づいて、クロック７４の内部時計を正確な時刻に調整する。ステップＳ１５において、CPU７２は、ステップＳ１３の処理で取得されたGPS受信データのうちの緯度情報および経度情報に基づいて、記憶部７３に記憶されている使用地域データを更新させる。
【００５１】
ステップＳ１６において、CPU７２は、GPS受信機能付きメモリカード１が電子機器４１から抜去されたか否かを判定し、GPS受信機能付きメモリカード１が電子機器４１から抜去されていないと判定した場合、ステップＳ１２に戻り、上述したそれ以降の処理を繰り返す。すなわち、GPS受信機能付きメモリカード１が電子機器４１から抜去されるまで、GPS受信データの取得および記録、並びに、使用地域データの更新が繰り返し行われる。
【００５２】
そして、ステップＳ１６において、GPS受信機能付きメモリカード１が電子機器４１から抜去されたと判定された場合、処理は終了される。
【００５３】
このように、電子機器４１は、GPS受信機能付きメモリカード１から取得されるGPS受信データに基づいて、電子機器４１が使用されている現在の位置を特定することができ、かつ、GPS受信機能付きメモリカード１から取得される時刻データに基づいて、正確な時刻を維持することができる。
【００５４】
以上のように、GPS受信機能付きメモリカード１を電子機器４１に装着することによって、電子機器４１にGPS機能を拡張することができる。また、GPS受信機能付きメモリカード１が超小型で構成されているため、例えば、PDAや携帯電話機などに装着することにより、携帯型のナビゲーションシステムとして利用することが可能になる。
【００５５】
次に、本開示の第１の実施の形態について説明する。
【００５６】
第１の実施の形態においては、PDAにGPS受信機能付きメモリカード１が装着された場合の携帯型ナビゲーションシステムについて説明する。
【００５７】
図８は、本開示に係る第１の実施の形態の携帯型ナビゲーションシステムを構成するPDAの外観の構成例を示している。
【００５８】
PDA８０は、片手で把持および操作が可能な大きさに、その筐体が形成されている。PDA８０の上部には、GPS受信機能付きメモリカード１が装着されるメモリカードスロット８４が設けられている。
【００５９】
PDA８０の下面には、公衆回線網と接続するための図示せぬモデムおよび各種データを授受するUSB（Universal Serial Bus）ポート（図示せず）等が設けられている。また、PDA８０には、表示部８１、キー８２、およびジョグダイヤル８３などが設けられている。
【００６０】
表示部８１は、液晶表示装置などの薄型の表示装置で構成され、アイコン、サムネイル、またはテキストなどの画像を表示する。表示部８１の下側には、タッチパッド８１ａが設けられている。そのタッチパッド８１ａがユーザにより指またはペンなどで押圧されることにより、CPU９１（図９）に所定のデータまたは動作指示が入力される。
【００６１】
また、キー８２が、ユーザにより操作されることにより、CPU９１に所定のデータまたは動作指示が入力される。
【００６２】
ジョグダイヤル８３は、表示部８１に表示されたアイコンまたはサムネイルを選択するときなどにおいて、回転操作または本体側への押圧操作がなされる。
【００６３】
図９は、PDA８０の電気的な構成例を示すブロック図である。
【００６４】
CPU９１は、発振器９２から供給されるクロック信号に同期して、Flash ROM（Read-only Memory）９３またはEDO DRAM（Extended Data Out Dynamic Random-Access Memory）９４に格納されているオペレーティングシステム、またはアプリケーションプログラムなどの各種のプログラムを実行する。
【００６５】
Flash ROM９３は、EEPROMの一種であるフラッシュメモリで構成され、一般的には、CPU９１が使用するプログラムや演算用のパラメータのうちの基本的に固定のデータを格納する。EDO DRAM９４は、CPU９１が実行するプログラムや、その実行において適宜変化するパラメータを格納する。
【００６６】
メモリカードインターフェース（I/F）９５は、PDA８０に装着されているGPS受信機能付きメモリカード１からデータを読み出すとともに、CPU９１から供給されたデータをGPS受信機能付きメモリカード１に書き込む。
【００６７】
USBインターフェース（I/F）９６は、発振器９７から供給されるクロック信号に同期して、接続されているUSB機器であるドライブ１１１からデータまたはプログラムを入力するとともに、CPU９１から供給されたデータをドライブ１１１に供給する。
【００６８】
ドライブ１１１は、必要に応じて装着される磁気ディスク１２１、光ディスク１２２、または光磁気ディスク１２３に記録されているデータまたはプログラムを読み出して、そのデータまたはプログラムを、USBインターフェース９６を介して、CPU９１またはEDO DRAM９４に供給する。また、ドライブ１１１は、装着されている磁気ディスク１２１、光ディスク１２２、または光磁気ディスク１２３に、データまたはプログラムを記録させる。
【００６９】
Flash ROM９３，EDO DRAM９４、メモリカードインターフェース９５、およびUSBインターフェース９６は、アドレスバスおよびデータバスを介して、CPU９１に接続されている。
【００７０】
表示部８１は、LCDバスを介して、CPU９１からデータを受信し、受信したデータに対応する画像または文字などを表示する。タッチパッド制御部９８は、表示部８１の下側に設けられたタッチパッド８１ａが操作されたとき、操作に対応したデータ（例えば、タッチされた座標を示す）を表示部８１から受信し、受信したデータに対応する信号を、シリアルバスを介してCPU９１に供給する。
【００７１】
EL（Electroluminescence）ドライバ９９は、表示部８１の液晶表示部の裏側に設けられている電界発光素子を動作させ、表示部８１の表示の明るさを制御する。
【００７２】
赤外線通信部１００は、UART（Universal asynchronous receiver-transmitter）を介して、CPU９１から受信したデータを赤外線信号として、図示せぬ他の機器に送信するとともに、他の機器から送信された赤外線信号を受信して、CPU９１に供給する。PDA８０はまた、UARTを介して、他の機器と通信することができる。
【００７３】
音声再生部１０２は、スピーカ、および音声のデータの復号回路などから構成され、予め記憶している音声のデータ、または他の機器から受信した音声のデータなどを復号して、再生し、音声を出力する。例えば、音声再生部１０２は、バッファ１０１を介して、CPU９１から供給された音声のデータを再生して、データに対応する音声を出力する。
【００７４】
電源回路１０３は、装着されているバッテリ１１２または接続されているAC（Alternating current）アダプタ１１３から供給される電源の電圧を変換して、必要な電力をCPU９１乃至音声再生部１０２に、それぞれ供給する。
【００７５】
通信部１０４は、インターネットなどと接続し、CPU９１から供給されたデータ（例えば、電子メールなど）を、所定の方式のパケットに格納して、インターネットを介して、他の機器に送信する。また、通信部１０４は、インターネットを介して、他の機器から受信したパケットに格納されているデータまたはプログラムをCPU９１に出力する。
【００７６】
GPS受信機能付きメモリカード１には、PDA８０が携帯型ナビゲーションシステムを実現するための地図データが記録される。地図データとは、PDA８０が使用される地域周辺（例えば、関東地方など）のベクトルデータである。
【００７７】
ここで、GPS受信機能付きメモリカード１に地図データを記録させる処理について説明する。例えば、以下に示すような方法により、地図データが記録される。
【００７８】
（１）パーソナルコンピュータのメモリカードスロットにGPS受信機能付きメモリカード１を装着するとともに、パーソナルコンピュータのドライブに地図データが記録されているCD-ROMを装着し、CD-ROMからGPS受信機能付きメモリカード１に地図データをコピー（記録）する。
【００７９】
（２）パーソナルコンピュータのメモリカードスロットにGPS受信機能付きメモリカード１を装着し、インターネットより地図データをダウンロードし、GPS受信機能付きメモリカード１に記録する。
【００８０】
（３）携帯電話機のメモリカードスロットにGPS受信機能付きメモリカード１を装着し、サーバより地図データをダンロードし、GPS受信機能付きメモリカード１に記録する。
【００８１】
（４）PDA８０のメモリカードスロット８４にGPS受信機能付きメモリカード１を装着し、PDA８０と携帯電話機を接続し、携帯電話機を介してサーバより地図データをダンロードし、GPS受信機能付きメモリカード１に記録する。
【００８２】
（５）PDA８０のメモリカードスロット８４にGPS受信機能付きメモリカード１を装着し、店頭に設置されている端末にPDA８０を接続し、端末を介してサーバより地図データをダンロードし、GPS受信機能付きメモリカード１に記録する。
【００８３】
このようにして、GPS受信機能付きメモリカード１には、PDA８０が使用される地域の地図データが予め記録される。
【００８４】
次に、図１０のフローチャートを参照して、上述したようにして地図データが記録されたGPS受信機能付きメモリカード１がPDA８０に装着された場合の地図の表示処理について説明する。
【００８５】
ステップＳ２１において、CPU９１は、メモリカードインターフェース９５にGPS受信機能付きメモリカード１が装着されたか否かを判定し、GPS受信機能付きメモリカード１が装着されるまで待機する。
【００８６】
ステップＳ２１において、メモリカードインターフェース９５にGPS受信機能付きメモリカード１が装着されたと判定された場合、ステップＳ２２に進み、CPU９１は、GPS受信機能付きメモリカード１に地図データが記録されているか否かを判定する。
【００８７】
ステップＳ２２において、地図データが記録されていると判定された場合、CPU９１は、GPS受信機能付きメモリカード１に記録されている地図データを読み出し、Flash ROM９３に記憶させる。
【００８８】
一方、ステップＳ２２において、地図データが記録されていないと判定された場合、ステップＳ２３に進み、上述した方法などにより、地図データが取得（記録）される。
【００８９】
なお、GPS受信機能付きメモリカード１に地図データを一旦記録した後、そこから地図データを読み出し、Flash ROM９３に記憶させるようにしてもよいし、インターネットまたはサーバからダウンロードして地図データを取得する場合には、直接、Flash ROM９３に記録（記憶）させるようにしてもよい。
【００９０】
ステップＳ２４において、CPU９１は、Flash ROM９３に記憶された地図データを読み出し、LCDバスを介して所定の地図の画像を表示部８１に表示させる。これにより、例えば、図１１に示されるような地図の画像１３１が表示される。
【００９１】
図１１に示す地図の画像１３１には、道路、交差点の名称、施設の名称、および、バス停留所の名称などが表示されている。
【００９２】
ステップＳ２５において、CPU９１は、GPSデータが受信されたか否か、すなわち、GPS受信機能付きメモリカード１のGPS信号処理部５１が新しいGPS受信データを算出したか否かを判定し、GPS信号処理部５１が新しいGPS受信データを算出したと判定するまで待機する。
【００９３】
ステップＳ２５において、GPS信号処理部５１が新しいGPS受信データを算出したと判定された場合、ステップＳ２６に進み、CPU９１は、GPS信号処理部５１で算出された緯度情報および経度情報などのGPS受信データを取得し、Flash ROM９３に記憶させる。このとき、算出された緯度情報および経度情報に基づいて、PDA８０が使用されている現在の位置が特定されるため、表示部８１に表示されている地図の画像１３１は、PDA８０が使用されている現在の位置の周辺地域が表示されるような画像１３１に更新される。
【００９４】
ステップＳ２７において、CPU９１は、ステップＳ２６の処理で取得された緯度情報および経度情報に基づいて、PDA８０が使用されている現在の位置を示すマーク１３２を表示部８１に表示させる。
【００９５】
ステップＳ２８において、CPU９１は、GPS受信機能付きメモリカード１がメモリカードインターフェース９５から抜去されたか否かを判定し、GPS受信機能付きメモリカード１が抜去されていないと判定した場合、ステップＳ２５に戻り、上述したそれ以降の処理を繰り返す。すなわち、GPS受信機能付きメモリカード１がPDA８０から抜去されるまで、地図の画像１３１とともに現在位置を示すマーク１３２の表示が行われる。
【００９６】
ステップＳ２８において、GPS受信機能付きメモリカード１がPDA８０から抜去されたと判定された場合、処理は終了される。
【００９７】
このように、PDA８０に、GPS受信機能付きメモリカード１を装着することにより、携帯型ナビゲーションシステムを実現することが可能になる。
【００９８】
次に、本開示の第２の実施の形態について説明する。
【００９９】
第２の実施の形態においては、携帯電話機にGPS受信機能付きメモリカード１が装着された場合の携帯型ナビゲーションシステムについて説明する。
【０１００】
図１２は、本開示に係る第２の実施の形態の携帯型ナビゲーションシステムを構成するカメラ付きデジタル携帯電話機１４０（以下、単に携帯電話機１４０と称する）の外観の構成例を示している。
【０１０１】
同図に示されるように携帯電話機１４０は、表示部１４２および本体１４３で構成され、中央のヒンジ部１４１により折り畳み可能に形成されている。
【０１０２】
表示部１４２は、上端左部に、引出しまたは収納可能な送受信用のアンテナ１５１を有する。携帯電話機１は、アンテナ１５１を介して、固定無線端末である基地局との間で電波を送受信する。
【０１０３】
また、表示部１４２は、上端中央部にほぼ１８０度の角度範囲で回動自在なカメラ部１５２を有する。カメラ付デジタル携帯電話機１は、カメラ部１５２のCCD（Charge Coupled Device）カメラ１５３によって所望の撮像対象を撮像する。
【０１０４】
カメラ部１５２がユーザによってほぼ１８０度回動されて位置決めされた場合、図１３に示されるように、表示部１４２は、カメラ部１５２の背面側中央に設けられたスピーカ１５４が正面側に位置する状態となる。これにより、携帯電話機１４０は、通常の音声通話状態に切り換わる。
【０１０５】
さらに、表示部１４２の正面に液晶ディスプレイ１５５が設けられている。液晶ディスプレイ１５５は、電波の受信状態、電池残量、電話帳として登録されている相手先名や電話番号および発信履歴等の他、電子メールの内容、簡易ホームページ、カメラ部１５２のCCDカメラ１５３で撮像した画像などを表示する。
【０１０６】
一方、本体１４３には、その表面に「０」乃至「９」の数字キー、発呼キー、リダイヤルキー、終話および電源キー、クリアキーおよび電子メールキー等の操作キー１６１が設けられている。操作キー１６１の操作に対応した各種指示が、カメラ付デジタル携帯電話機１４０に入力される。
【０１０７】
また、本体１４３の操作キー１６１の下部にメモボタン１６２およびマイクロフォン１６３が設けられている。携帯電話機１４０は、メモボタン１６２が操作されたとき、通話中の相手の音声を録音する。携帯電話機１４０は、マイクロフォン１６３によって通話時のユーザの音声を集音する。
【０１０８】
さらに、本体１４３の操作キー１６１の上部に回動自在なジョグダイヤル１６４が、本体１４３の表面から僅かに突出した状態で設けられている。携帯電話機１４０は、ジョグダイヤル１６４に対する回動操作に応じて、液晶ディスプレイ１５５に表示されている電話帳リストもしくは電子メールのスクロール動作、簡易ホームページのページ捲り動作、または画像の送り動作等の種々の動作を実行する。
【０１０９】
例えば、本体１４３は、ユーザによるジョグダイヤル１６４の回動操作に応じて液晶ディスプレイ１５５に表示された電話帳リストの複数の電話番号の中から所望の電話番号を選択し、ジョグダイヤル１６４が本体１４３の内部方向に押圧されたとき、選択されている電話番号を確定して、確定された電話番号に対して自動的に発呼処理を行う。
【０１１０】
なお、本体１４３は、背面側に図示せぬバッテリパックが装着されており、終話／電源キーがオン状態になると、バッテリパックから各回路部に対して電力が供給されて動作可能な状態に起動する。
【０１１１】
また、本体１４３の背面側には、図１４に示されるように、抜差自在なGPS受信機能付きメモリカード１を装着するためのメモリカードスロット１５６が設けられている。携帯電話機１４０は、メモボタン１６２が押下されると、通話中の相手の音声を装着されているGPS受信機能付きメモリカード１に記録する。携帯電話機１は、ユーザの操作に応じて、電子メール、簡易ホームページ、CCDカメラ１５３で撮像した画像を、装着されているGPS受信機能付きメモリカード１に記録する。
【０１１２】
なお、図１４では、携帯電話機１４０が折り畳まれた状態でGPS受信機能付きメモリカード１が装着されているが、勿論、携帯電話機１４０を開いた状態で、GPS受信機能付きメモリカード１を装着することも可能である。
【０１１３】
図１５は、携帯電話機１４０の内部の構成例を示している。
【０１１４】
表示部１４２および本体１４３の各部を統括的に制御する主制御部１７１に対して、電源回路部１７５、操作入力制御部１７２、画像エンコーダ１７３、カメラインターフェース（I/F）部１７４、LCD制御部１７６、多重分離部１７８、変復調回路部１７９、および音声コーデック１８０がメインバス１８１を介して互いに接続されるとともに、画像エンコーダ１７３、画像デコーダ１７７、多重分離部１７８、記憶再生部１８３、変復調回路部１７９、および音声コーデック１８０が同期バス１８２を介して互いに接続されて構成されている。
【０１１５】
電源回路部１７５は、ユーザの操作により終話／電源キーがオン状態にされると、バッテリパックから各部に対して電力を供給することにより携帯電話機１４０を動作可能な状態に起動する。
【０１１６】
携帯電話機１４０は、CPU、ROMおよびRAM等でなる主制御部１７１の制御に基づいて、音声通話モードにおいて、マイクロフォン１６３で集音した音声信号を音声コーデック１８０によってデジタル音声データに変換する。携帯電話機１４０は、デジタル音声データを変復調回路部１７９でスペクトラム拡散処理し、送受信回路部１８４でデジタルアナログ変換処理および周波数変換処理を施した後、アンテナ１５１を介して送信する。
【０１１７】
また、携帯電話機１４０は、音声通話モードにおいて、アンテナ１５１で受信した受信信号を増幅して周波数変換処理およびアナログデジタル変換処理を施し、変復調回路部１７９でスペクトラム逆拡散処理し、音声コーデック１８０によってアナログ音声信号に変換する。携帯電話機１４０は、アナログ音声信号に対応する音声をスピーカ１５４に出力させる。
【０１１８】
さらに、携帯電話機１４０は、データ通信モードにおいて、電子メールを送信する場合、操作キー１６１およびジョグダイヤル１６４の操作によって入力されたテキストデータを、操作入力制御部１７２を介して主制御部１７１に送出する。
【０１１９】
主制御部１７１は、テキストデータを変復調回路部１７９でスペクトラム拡散処理し、送受信回路部１８４でデジタルアナログ変換処理および周波数変換処理を施した後、アンテナ１５１を介して基地局へ送信する。
【０１２０】
これに対して、携帯電話機１４０は、データ通信モードにおいて、電子メールを受信する場合、アンテナ１５１を介して基地局から受信した受信信号を変復調回路部１７９でスペクトラム逆拡散処理して、元のテキストデータを復元した後、LCD制御部１７６を介して液晶ディスプレイ１５５に電子メールとして表示する。
【０１２１】
この後、携帯電話機１４０は、ユーザの操作に応じて受信した電子メールを、記憶再生部１８３を介してGPS受信機能付きメモリカード１に記録することも可能である。
【０１２２】
携帯電話機１４０は、データ通信モードにおいて画像データを送信する場合、CCDカメラ１５３で撮像された画像データを、カメラインターフェース部１７４を介して画像エンコーダ１７３に供給する。
【０１２３】
因みに、携帯電話機１４０は、画像データを送信しない場合には、CCDカメラ１５３で撮像した画像データを、カメラインターフェース部１７４およびLCD制御部１７６を介して、液晶ディスプレイ１５５に直接表示することも可能である。
【０１２４】
画像エンコーダ１７３は、CCDカメラ１５３から供給された画像データを、例えば、MPEG（Moving Picture Experts Group）２またはMPEG４等の所定の符号化方式によって圧縮符号化することにより符号化画像データに変換し、これを多重分離部１７８に送出する。
【０１２５】
このとき同時に、携帯電話機１４０は、CCDカメラ１５３で撮像中にマイクロフォン１６３で集音した音声を、音声コーデック１８０を介してデジタルの音声データとして多重分離部１７８に送出する。
【０１２６】
多重分離部１７８は、画像エンコーダ１７３から供給された符号化画像データと音声コーデック１８０から供給された音声データとを所定の方式で多重化し、その結果得られる多重化データを変復調回路部１７９でスペクトラム拡散処理し、送受信回路部１８４でデジタルアナログ変換処理および周波数変換処理を施した後、アンテナ１５１を介して送信する。
【０１２７】
これに対して、携帯電話機１４０は、データ通信モードにおいて、例えば、簡易ホームページ等にリンクされた動画像ファイルのデータを受信する場合、アンテナ１５１を介して基地局から受信した受信信号を変復調回路部１７９でスペクトラム逆拡散処理し、その結果得られる多重化データを多重分離部１７８に送出する。
【０１２８】
多重分離部１７８は、多重化データを符号化画像データと音声データとに分離し、同期バス１８２を介して、符号化画像データを画像デコーダ１７７に供給するとともに、音声データを音声コーデック１８０に供給する。
【０１２９】
画像デコーダ１７７は、符号化画像データをMPEG２またはMPEG４等の所定の符号化方式に対応した復号方式でデコードすることにより再生動画像データを生成し、これを、LCD制御部１７６を介して液晶ディスプレイ１５５に供給する。これにより、携帯電話機１４０は、例えば、簡易ホームページにリンクされた動画像ファイルに含まれる動画データを表示する。
【０１３０】
このとき同時に、音声コーデック１８０は、音声データをアナログ音声信号に変換した後、これをスピーカ１５４に供給する。これにより、携帯電話機１４０は、例えば、簡易ホームページにリンクされた動画像ファイルに含まる音声データを再生する。
【０１３１】
この場合も電子メールの場合と同様に、携帯電話機１４０は、受信した簡易ホームページ等にリンクされたデータを、ユーザの操作により、記憶再生部１８３を介してGPS受信機能付きメモリカード１に記録することが可能である。
【０１３２】
GPS受信機能付きメモリカード１には、携帯電話機１４０が携帯型ナビゲーションシステムを実現するための上述した地図データ、またはPOI（Point of Interest）データが記録される。POIデータとは、地名または施設名などのテキストデータである。
【０１３３】
GPS受信機能付きメモリカード１にPOIデータを記録させる処理は、上述した地図データの記録処理と同様であるため、その説明は省略する。
【０１３４】
次に、図１６のフローチャートを参照して、上述したようにしてPOIデータが記録されたGSP受信機能付きメモリカード１が携帯電話機１４０に装着された場合の撮像処理について説明する。
【０１３５】
ステップＳ４１において、主制御部１７１は、GPS受信機能付きメモリカード１がメモリカードスロット１５６に装着されたか否かを判定し、GPS受信機能付きメモリカード１が装着されるまで待機する。
【０１３６】
ステップＳ４１において、GPS受信機能付きメモリカード１が装着されたと判定された場合、ステップＳ４２に進み、主制御部１７１は、GPS受信機能付きメモリカード１にPOIデータが記録されているか否かを判定する。
【０１３７】
ステップＳ４２において、POIデータが記録されていると判定された場合、主制御部１７１は、GPS受信機能付きメモリカード１に記録されているPOIデータを読み出し、内部に記録した後、ステップＳ４５に進む。
【０１３８】
一方、ステップＳ４２において、POIデータが記録されていないと判定された場合、ステップＳ４３に進み、主制御部１７１は、さらに、POIデータが必要であるか否かを判定する。具体的には、ユーザが、携帯電話機１４０のCCDカメラ１５３で撮像した画像データに、その撮影場所の地名あるいは施設名などを関連付けて記録しておきたいか否かを指定することにより、POIデータが必要であるか否かが判定される。
【０１３９】
ステップＳ４３において、POIデータが必要であると判定された場合、ステップＳ４４に進み、主制御部１７１は、上述した方法などにより、POIデータを取得（記録）する。
【０１４０】
なお、GPS受信機能付きメモリカード１にPOIデータを一旦記録した後、そこからPOIデータを読み出し、主制御部１７１の内部に記録させるようにしてもよいし、インターネットまたはサーバからダウンロードしてPOIデータを取得する場合には、直接、主制御部１７１の内部に記録させるようにしてもよい。
【０１４１】
ステップＳ４５において、主制御部１７１は、ユーザによって操作キー１６１またはジョグダイヤル１６４が操作されることにより、カメラ部１５２のCCDカメラ１５３が所望の撮像対象を撮像したか否かを判定し、CCDカメラ１５３が所望の撮影対象を撮像するまで待機する。
【０１４２】
ステップＳ４５において、CCDカメラ１５３が所望の撮影対象を撮像したと判定された場合、ステップＳ４６に進み、主制御部１７１は、GPS受信機能付きメモリカード１のGPS信号処理部５１が新しいGPS受信データを算出したか否かを判定し、新しいGPS受信データを算出したと判定されるまで待機する。
【０１４３】
そして、ステップＳ４６において、GPS信号処理部５１が新しいGPS受信データを算出したと判定された場合、ステップＳ４７に進み、主制御部１７１は、GPS信号処理部５１で算出された緯度情報および経度情報などのGPS受信データを取得する。
【０１４４】
ステップＳ４８において、主制御部１７１は、CCDカメラ１５３によって撮像された画像データにステップＳ４７の処理で取得された緯度情報および経度情報を付加して、記憶再生部１８３を制御し、GPS受信機能付きメモリカード１に記録させる。
【０１４５】
ステップＳ４９において、主制御部１７１は、ユーザによって操作キー１６１またはジョグダイヤル１６４が操作され、撮像終了を示すコマンドが入力されたか否かを判定し、撮像終了ではないと判定した場合、ステップＳ４５に戻り、上述した処理を繰り返す。すなわち、撮像処理が終了されるまで、所望の撮像対象の撮像、GPS受信データの取得、および、GPS受信データが付加された画像データの記録が行われる。
【０１４６】
ステップＳ４３において、POIデータが必要ではないと判定された場合、ステップＳ５０に進み、主制御部１７１は、ユーザによって操作キー１６１またはジョグダイヤル１６４が操作されることにより、カメラ部１５２のCCDカメラ１５３が所望の撮像対象を撮像したか否かを判定し、CCDカメラ１５３が所望の撮影対象を撮像するまで待機する。
【０１４７】
ステップＳ５０において、CCDカメラ１５３が所望の撮影対象を撮像したと判定された場合、ステップＳ５１に進み、主制御部１７１は、記憶再生部１８３を制御し、CCDカメラ１５３によって撮像された画像データをGPS受信機能付きメモリカード１に記録させる。
【０１４８】
ステップＳ５２において、主制御部１７１は、ユーザによって操作キー１６１またはジョグダイヤル１６４が操作され、撮像終了を示すコマンドが入力されたか否かを判定し、撮像終了ではないと判定した場合、ステップＳ５０に戻り、上述した処理を繰り返す。すなわち、撮像処理が終了されるまで、所望の撮像対象の撮像、および、画像データの記録が行われる。
【０１４９】
そして、ステップＳ４９またはステップＳ５２において、撮像終了と判定された場合、処理は終了される。
【０１５０】
このように、撮像された場所の緯度情報および経度情報を、撮像された画像データとともに記録しておくことにより、後述する表示処理において、記録された画像データを、その画像が撮像された地名や施設名などとともに表示させることができる。
【０１５１】
次に、図１７のフローチャートを参照して、図１６に示した撮像処理によって画像データが記録されたGPS受信機能付きメモリカード１が携帯電話機１４０に装着された場合の表示処理について説明する。
【０１５２】
ステップＳ６１において、主制御部１７１は、ユーザの操作によって操作キー１６１またはジョグダイヤル１６４が操作され、撮像された画像の表示を示すコマンドが入力されると、記憶再生部１８３を制御し、GPS受信機能付きメモリカード１に記録されている画像データを読み出させる。
【０１５３】
ステップＳ６２において、主制御部１７１は、読み出された画像データに緯度情報および経度情報が付加されているか否かを判定し、読み出された画像データに緯度情報および経度情報が付加されていると判定した場合、ステップＳ６３に進み、読み出された画像データに付加されている緯度情報および経度情報に基づいて、対応するPOIデータを内部から読み出す。
【０１５４】
ステップＳ６４において、主制御部１７１は、読み出された画像データに対応するPOIデータを付加して、メインバス１８１を介してLCD制御部１７６に出力する。LCD制御部１７６は、供給された画像データとともにPOIデータを液晶ディスプレイ１５５に表示させる。これにより、例えば、図１８（Ａ）に示されるように、地名２１１が付加された画像２０１が表示される。
【０１５５】
図１８（Ａ）に示す画像２０１には、地名２１１として“Lake Tahoe”が表示されている。
【０１５６】
ステップＳ６６において、主制御部１７１は、GPS受信機能付きメモリカード１から全ての画像データを読み出したか否かを判定し、未だ全ての画像データを読み出していないと判定した場合、ステップＳ６１に戻り、上述した処理を繰り返す。
【０１５７】
すなわち、ユーザによって、次の画像データの表示を示すコマンドが入力されたときに、GPS受信機能付きメモリカード１にまだ読み出されていない画像データがあった場合、それが読み出され、液晶ディスプレイ１５５に表示される。これにより、例えば、図１８（Ｂ）に示されるように、地名２１２が付加された画像２０２が表示される。また、ユーザによって、次の画像データの表示を示すコマンドが入力されたとき、例えば、図１８（Ｃ）に示されるように、地名２１３が付加された画像２０３が表示される。さらにまた、ユーザによって、次の画像データの表示を示すコマンドが入力されたとき、例えば、図１８（Ｄ）に示されるように、地名２１４が付加された画像２０４が表示される。
【０１５８】
図１８（Ｂ）に示す画像２０２には、地名２１２として“New York City”が表示されており、図１８（Ｃ）に示す画像２０３には、地名２１３として“Nice Beach”が表示されており、図１８（Ｄ）に示す画像２０４には、地名２１４として“Central Park”が表示されている。
【０１５９】
なお、携帯電話機１４０が実行する地図の画像の表示処理は、図１０のフローチャートを参照して説明した処理と同様であるため、その説明は省略する。
【０１６０】
このように、携帯電話機１４０に、GPS受信機能付きメモリカード１を装着することにより、携帯型ナビゲーションシステムを実現することが可能になるとともに、ユーザに対して、CCDカメラ１５３で撮像された画像データがどの場所で撮像されたものかを容易に知らしめることができる。
【０１６１】
以上においては、メモリースティックDuoにGPSアンテナ１４を搭載することにより、GPS受信を行う場合について説明したが、本開示はこれに限らず、他の記憶メディアに適用することも勿論可能である。
【０１６２】
以上においては、本開示をPDA８０または携帯電話機１４０に適用した例について説明したが、本開示はこれに限らず、GPS受信機能付きメモリカード１を装着することが可能なスロットが設けられている各種の装置に広く適用することができる。
【０１６３】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１６４】
コンピュータにインストールされ、コンピュータによって実行可能な状態とされるプログラムを格納するプログラム格納媒体は、図９に示すように、磁気ディスク１２１（フロッピディスクを含む）、光ディスク１２２（CD-ROM（Compact Disc-Read Only Memory），DVD（Digital Versatile Disk）を含む）、光磁気ディスク１２３（MD（Mini-Disk）を含む）、もしくはメモリカード１１などよりなるパッケージメディアなどにより構成される。プログラム格納媒体へのプログラムの格納は、必要に応じて通信部１０４などのインターフェースを介して、ローカルエリアネットワークまたはインターネットなどのネットワーク、デジタル衛星放送といった、有線または無線の通信媒体を利用して行われる。
【０１６５】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６６】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６７】
また、本明細書において、システムとは、複数の装置により構成される装置全体を表すものである。
【０１６８】
なお、本開示の実施の形態は、上述した実施の形態に限定されるものではなく、本開示の要旨を逸脱しない範囲において種々の変更が可能である。
【符号の説明】
【０１６９】
１  GPS受信機能付きメモリカード，  １１  メモリカード，  １２  メモリアダプタ，  １３  RFモジュール，  １４  GPSアンテナ，  ２１  端子，  ４１  電子機器，  ５４  メモリカードスロット，  ５１  GPS信号処理部，  ６１  記憶部，  ７２  CPU，  ８０  PDA，  ８４  メモリカードスロット，  ９１  CPU，  １３１  画像，  １３２  マーク，  １４０  カメラ付きデジタル携帯電話機，  １５３  CCDカメラ，  １５５  液晶ディスプレイ，  １５６  メモリカードスロット，  １７１  主制御部，  １８３  記憶再生部，  ２０１乃至２０４  画像，  ２１１乃至２１４  地名
【図１】
2011193532.tif 000003
【図２】
2011193532.tif 000004
【図３】
2011193532.tif 000005
【図４】
2011193532.tif 000006
【図５】
2011193532.tif 000007
【図６】
2011193532.tif 000008
【図７】
2011193532.tif 000009
【図８】
2011193532.tif 000010
【図９】
2011193532.tif 000011
【図１０】
2011193532.tif 000012
【図１１】
2011193532.tif 000013
【図１２】
2011193532.tif 000014
【図１３】
2011193532.tif 000015
【図１４】
2011193532.tif 000016
【図１５】
2011193532.tif 000017
【図１６】
2011193532.tif 000018
【図１７】
2011193532.tif 000019
【図１８】
2011193532.tif 000020